(57)【要約】【課題】画像が形成される画像形成部材に半導体チップを装着する。【解決手段】コピー装置１の印刷ユニット１０は、ＵＩ装置２６に対する操作に応じて、印刷用紙４０に対して電子写真方式で画像を形成し、コピー装置１の後処理ユニット５０は、画像が形成された後の印刷用紙４０に対して、ＩＣチップ３が保持されたステープル針４２ａを打ち込み、このステープル針４２ａに保持されたＩＣチップ３に対して、ＵＩ装置２６で入力されたデータを書き込む。【選択図】　　　　　図１
2004142419.tif 000002
【特許請求の範囲】
【請求項１】
画像形成される画像形成部材に後処理を施す後処理装置であって、
画像形成の処理が開始された前記画像形成部材に、記憶媒体を装着する装着手段を有する後処理装置。
【請求項２】
前記装着手段は、前記画像形成部材に画像を転写する処理の後に、前記記憶媒体を装着する請求項１に記載の後処理装置。
【請求項３】
前記装着手段は、前記画像形成部材に転写された画像を定着させる処理の後に、前記記憶媒体を装着する請求項１または２に記載の後処理装置。
【請求項４】
前記記憶媒体にデータを書き込むデータ書込み手段をさらに有する請求項１〜３のいずれかに記載の後処理装置。
【請求項５】
前記画像形成部材に対して画像を形成する画像形成装置は、データを入力する操作を受け付け、
前記データ書込み手段は、前記入力されたデータを、前記記憶媒体に書き込む
請求項４に記載の後処理装置。
【請求項６】
前記データ書込み手段は、前記画像形成部材に装着された記憶媒体にデータを書き込む請求項４または５に記載の後処理装置。
【請求項７】
前記画像形成部材に対して画像を形成する画像形成装置は、前記記憶媒体の装着を指示する操作を受け付け、
前記装着手段は、前記受け付けられた操作に応じて、前記記憶媒体を装着する請求項１〜６のいずれかに記載の後処理装置。
【請求項８】
前記画像形成部材に対して画像を形成する画像形成装置または前記後処理装置と、通信回線を介して接続する外部端末は、前記記憶媒体の装着を指示する操作を受け付け、
前記装着手段は、前記受け付けられた操作に応じて、前記記憶媒体を装着する請求項１〜６のいずれかに記載の後処理装置。
【請求項９】
前記記憶媒体は、ステープル針に保持されており、
前記装着手段は、前記記憶媒体が保持されたステープル針を前記画像形成部材に打ち、前記記憶媒体を装着する請求項１〜８のいずれかに記載の後処理装置。
【請求項１０】
前記装着手段は、１つの前記画像形成部材に対して、前記ステープル針を打つ請求項９に記載の後処理装置。
【請求項１１】
前記記憶媒体は、粘着部材に保持されており、
前記装着手段は、前記記憶媒体が保持された粘着部材を前記画像形成部材に貼り付けて、前記記憶媒体を装着する請求項１〜８のいずれかに記載の後処理装置。
【請求項１２】
シート状の部材に付されるステープル針であって、
データを記憶する記憶媒体を保持する記憶媒体保持手段を有するステープル針。
【請求項１３】
シート状の部材に付されるステープル針であって、
データを記憶するデータ記憶手段
を有するステープル針。
【請求項１４】
前記ステープル針の筐体の少なくとも一部は、データの送信および受信またはこれらのいずれかをするためのアンテナとして、前記記憶されるデータの送信および受信またはこれらのいずれかを行う
請求項１２または１３に記載のステープル針。
【請求項１５】
画像形成される画像形成部材に後処理を施す後処理方法であって、
画像形成の処理が開始された前記画像形成部材に、記憶媒体を装着する後処理方法。
【発明の詳細な説明】
【０００１】
【発明の属する技術分野】
本発明は、画像が形成される画像形成部材に非接触メモリを装着する後処理装置およびその方法に関する。
【０００２】
【従来の技術】
例えば、非特許文献１は、記憶したデータを、外部から非接触で読み取ることができる小型の半導体チップ（「ミューチップ」）を開示する。
また、特許文献１〜特許文献６は、上述の半導体チップの応用例を開示する。
【０００３】
【特許文献１】
特開２００１−２２９１９９号公報
【特許文献２】
特開２０００−２８５２０３号公報
【特許文献３】
特開２００１−１３４６７２号公報
【特許文献４】
特開２００１−２８３０１１号公報
【特許文献５】
特開２００１−１４８０００号公報
【特許文献６】
特開２００１−２６０５８０号公報
【非特許文献１】
ｈｔｔｐ：／／ｐｃｗｅｂ．ｍｙｃｏｍ．ｃｏ．ｊｐ／ｎｅｗｓ／２００１／０７／０５／２２．ｈｔｍｌ
【０００４】
【発明が解決しようとする課題】
本発明は、上述した背景からなされたものであり、画像が形成される画像形成部材に半導体チップを装着することができる後処理装置およびその方法を提供することを目的とする。
【０００５】
【課題を解決するための手段】
［後処理装置］
上記目的を達成するために、本発明にかかる後処理装置は、画像形成される画像形成部材に後処理を施す後処理装置であって、画像形成の処理が開始された前記画像形成部材に、記憶媒体を装着する装着手段を有する。
【０００６】
好適には、前記装着手段は、前記画像形成部材に画像を転写する処理の後に、前記記憶媒体を装着する。
好適には、前記装着手段は、前記画像形成部材に転写された画像を定着させる処理の後に、前記記憶媒体を装着する。
【０００７】
好適には、前記記憶媒体にデータを書き込むデータ書込み手段をさらに有する。
【０００８】
好適には、前記画像形成部材に対して画像を形成する画像形成装置は、データを入力する操作を受け付け、前記データ書込み手段は、前記入力されたデータを、前記記憶媒体に書き込む。
【０００９】
好適には、前記データ書込み手段は、前記画像形成部材に装着された記憶媒体にデータを書き込む。
【００１０】
好適には、前記画像形成部材に対して画像を形成する画像形成装置は、前記記憶媒体の装着を指示する操作を受け付け、前記装着手段は、前記受け付けられた操作に応じて、前記記憶媒体を装着する。
【００１１】
好適には、前記画像形成部材に対して画像を形成する画像形成装置または前記後処理装置と、通信回線を介して接続する外部端末は、前記記憶媒体の装着を指示する操作を受け付け、前記装着手段は、前記受け付けられた操作に応じて、前記記憶媒体を装着する。
【００１２】
好適には、前記記憶媒体は、ステープル針に保持されており、前記装着手段は、前記記憶媒体が保持されたステープル針を前記画像形成部材に打ち、前記記憶媒体を装着する。
【００１３】
好適には、前記装着手段は、１つの前記画像形成部材に対して、前記ステープル針を打つ。
【００１４】
好適には、前記記憶媒体は、粘着部材に保持されており、前記装着手段は、前記記憶媒体が保持された粘着部材を前記画像形成部材に貼り付けて、前記記憶媒体を装着する。
【００１５】
［ステープル針］
また、本発明にかかるステープル針は、シート状の部材に付されるステープル針であって、データを記憶する記憶媒体を保持する記憶媒体保持手段を有する。
【００１６】
また、本発明にかかるステープル針は、シート状の部材に付されるステープル針であって、データを記憶するデータ記憶手段を有する。
【００１７】
好適には、前記ステープル針の筐体の少なくとも一部は、データの送信および受信またはこれらのいずれかをするためのアンテナとして、前記記憶されるデータの送信および受信またはこれらのいずれかを行う。
【００１８】
［後処理方法］
また、本発明にかかる後処理方法は、画像形成される画像形成部材に後処理を施す後処理方法であって、画像形成の処理が開始された前記画像形成部材に、記憶媒体を装着する。
【００１９】
【発明の実施の形態】
［背景］
本発明の理解を助けるために、まず、本発明がなされるに至った背景を説明する。
紙媒体に微小な半導体チップを付し、この半導体チップに情報を記憶させることにより、紙媒体の表面に印刷された画像情報に加えて、半導体チップに記憶された情報を提供することが可能となった。
紙媒体に画像を印刷する方法として、電子写真方式を用いる場合には、紙媒体に対してトナー画像を転写する転写処理、および、転写されたトナーを紙媒体に定着させる定着処理などが行われ、これらの処理において、紙媒体は、高温または高電圧の環境にさらされる。
紙媒体に付される半導体チップは、熱または高電圧などに弱く、画像形成処理における高温または高電圧で破壊されてしまうおそれがあった。
【００２０】
本発明にかかる後処理方法は、以上のような背景から、画像形成された後の紙媒体（画像形成部材）に、半導体チップ（記憶媒体）を装着し、半導体チップが、画像形成処理に伴い発生する高温または高電圧により破壊されることを防止する。
【００２１】
［概要］
次に、本発明の概要を具体例を挙げて説明する。
例えば、本発明にかかる後処理方法は、半導体チップを保持するステープル針を、画像形成された紙媒体に対して打ち込んで、紙媒体に半導体チップを装着する。
図１（Ａ）は、本発明の後処理方法で用いられる第１のステープル針４２ａを例示し、図１（Ｂ）は、ステープルされた後のステープル針４２ａを例示する図である。
図１（Ａ）に例示するように、ステープル針４２ａは、コ字状の金属片であり、ＩＣチップ３を保持する保持部４２２（記憶媒体保持手段）と、保持部４２２から突き出した突出部４２４と、保持部４２２の両端からほぼ直角に突き出した針状の脚部４２６とから構成される。
【００２２】
保持部４２２は、印刷用紙４０に打ち込まれると、コ字状の内側の面で印刷用紙４０に係合し、紙と係合する面の裏面にＩＣチップ３を保持する。
突出部４２４は、保持部４２２のＩＣチップ３が保持される面と同一の面上に設けられる。
突出部４２４は、ＩＣチップ３の両端の近傍にそれぞれ配設され、ＩＣチップ３よりも高く突出する。
脚部４２６は、保持部４２２を基準としてＩＣチップ３および突出部４２４とは反対の方向に突き出ている。
【００２３】
図１（Ｂ）に例示するように、ステープル針４２ａがステープラ５４に押圧されると、脚部４２６は、印刷用紙４０を貫通した後で、針受け台５８にぶつかって屈曲する。
ステープル針４２ａが押圧されるとき、突出部４２４は、ＩＣチップ３よりも高く突出しているので、ＩＣチップ３がステープラ５４に押圧されることを防止する。
また、ステープル針４２ａの一部は、ＩＣチップ３がデータの送受信を行うときのアンテナとして機能する。
【００２４】
図２は、ステープル針４２ａ（図１）が付された印刷用紙４０を例示する図である。
図２に例示するように、原稿画像が印刷された印刷用紙４０（画像形成部材）に、ステープル針４２ａが付される。
ステープル針４２ａにはＩＣチップ３（図２）が保持されており、この印刷用紙４０は、印刷された原稿画像に加えて、ＩＣチップ３に記憶させた情報を提供することができる。
このように、本発明にかかる後処理方法は、画像が印刷された後の印刷用紙４０に、ステープル針４２ａを打つことにより、印刷用紙４０にＩＣチップ３を付す。
【００２５】
［実施例］
以下、本発明にかかる後処理方法の実施例を、さらに具体例を挙げて詳細に説明する。
図３は、本発明にかかる後処理方法が適応されるコピー装置１のハードウェア構成を、その制御装置２を中心に例示する図である。
図３に示すように、コピー装置１は、コピー装置１全体の制御を行う制御装置２、画像形成を行う印刷ユニット１０、および、ステープル処理などの後処理を行う後処理ユニット５０から構成される。
印刷ユニット１０は、電子写真方式などで印刷用紙４０に画像を印刷する。
後処理ユニット５０は、例えば、印刷用紙４０にステープル針４２ａを打ち込む。
制御装置２は、ＣＰＵ２０２およびメモリ２０４などを含む制御装置本体２０、通信装置２２、ＨＤＤ・ＣＤ装置などの記録装置２４、ＬＣＤ表示装置あるいはＣＲＴ表示装置およびキーボード・タッチパネルなどを含むユーザインターフェース装置（ＵＩ装置）２６、および、アンテナ２８０を有するＩＣチップインターフェース（ＩＣチップＩＦ）２８（データ書込み手段）から構成される。
【００２６】
［コピー装置１］
図４は、図３に示したコピー装置１のハードウェア構成を、その印刷ユニット１０および後処理ユニット５０を中心に例示する図である。
図４に示すように、印刷ユニット１０は、用紙トレイ部１２、トナー画像を印刷用紙４０に形成するプリントエンジン１４、印刷用紙４０上のトナーを加熱して定着させる定着ローラ１５、印刷用紙４０を定着ローラ１５の方向に押圧する加圧ローラ１６、原稿の画像を読み取るスキャナ１７、および、原稿を送る原稿送り装置１８などから構成される。
【００２７】
後処理ユニット５０は、印刷ユニット１０から搬送されてきた印刷用紙４０を蓄積するコンパイルトレイ５２、コンパイルトレイ５２に蓄積された印刷用紙４０にステープル針４２ａ（図１）を打ち込むステープラ５４（装着手段）、変心軸を回転させてステープラ５４を押し込むカム５６、および、ステープル針４２ａを受け止めて折り曲げる針受け台５８などから構成される。
また、ＩＣチップＩＦ２８およびアンテナ２８０は、後処理ユニット４２において後処理された印刷用紙４０が搬送される搬送路の近傍に配設され、ＵＩ装置２６は、印刷ユニット１０の上部に配設される。
つまり、コピー装置１は、原稿の画像を読み取って印刷用紙４０に印刷し、印刷後の印刷用紙４０にステープル処理などの後処理を施す一般的なコピー装置に、ＩＣチップＩＦ２８およびアンテナ２８０が付加されたハードウェア構成を採る。
なお、図４に示すように、制御装置２（図３）は、実際には印刷ユニット１０の内部に収容され、ＩＣチップＩＦ２８およびアンテナ２８０（図３）は、後処理ユニット５０の内部に収容される。
【００２８】
［ＩＣチップ３・ＩＣチップＩＦ２８］
図５は、図１（Ａ）に示したＩＣチップ３の構成を示す図である。
図６は、図３、図４に示したＩＣチップＩＦ２８の構成を示す図である。
図５に示すように、ＩＣチップ３は、クロック再生回路３２０、メモリ回路３２２、データ送受信回路３２４および電源回路３２６から構成される。
【００２９】
また、図６に示すように、ＩＣチップＩＦ２８は、送信回路２８４、受信回路２８６、送受信制御回路２８２、復調回路２８８および変調回路２９０から構成される。
以下に説明するＩＣチップ３およびＩＣチップＩＦ２８の各構成部分の動作により、ＩＣチップ３に記憶された情報（データ）が、ＩＣチップＩＦ２８により、非接触で読み取られる。
【００３０】
ＩＣチップ３（図５）において、電源回路３２６（図５）は、ステープル針４２ａ（図１，図５）を介して供給される電波信号を整流して、ＩＣチップ３の各構成部分に対して、それらの動作に必要な電力を供給する。
【００３１】
クロック再生回路３２０は、ステープル針４２ａ（図１，図５）を介してＩＣチップＩＦ２８から供給される電波信号から、クロック信号を再生し、メモリ回路３２２およびデータ送受信回路３２４に対して出力する。
【００３２】
メモリ回路３２２は、例えば不揮発性のＲＡＭであって、クロック再生回路３２０から入力されたクロック信号に同期して、データ送受信回路３２４から入力される情報を示すデータを記憶する。
また、メモリ回路３２２は、上記クロック信号に同期して、記憶した情報を示すデータを、データ送受信回路３２４に対して出力する。
【００３３】
データ送受信回路３２４は、ステープル針４２ａ（図１，図５）から入力される電波信号からデータを復調し、クロック再生回路３２０から入力されるクロック信号に同期して、メモリ回路３２２に対して出力する。
また、データ送受信回路３２４は、メモリ回路３２２から入力されるデータの値に従って、ＩＣチップＩＦ２８側から供給される電波信号の反射強度を、上記クロック信号に同期して変更する。
このように、メモリ回路３２２が記憶した情報を示すデータは、ＩＣチップＩＦ２８からＩＣチップ３に対して送信された電波信号の反射信号の強度を変更することにより、ＩＣチップ３からＩＣチップＩＦ２８に対して送信される。
【００３４】
ＩＣチップＩＦ２８（図６）において、送受信制御回路２８２は、ＩＣチップＩＦ２８の各構成部分の動作を制御する。
また、送受信制御回路２８２は、制御装置本体２０（印刷プログラム７；図７を参照して後述）から入力されるデータを、変調回路２９０に対して出力する。また、送受信制御回路２８２は、受信回路２８６により受信され、復調回路２８８により復調されたデータを、制御装置本体２０に対して出力する。
【００３５】
変調回路２９０は、送受信制御回路２８２から入力されるデータで電波信号を変調し、送信回路２８４に対して出力する。
【００３６】
送信回路２８４は、ＩＣチップ３に記憶させるデータおよびクロック信号などを含む電波信号を、アンテナ２８０を介して、ＩＣチップ３に対して送信する。
【００３７】
受信回路２８６は、ＩＣチップ３側からの反射信号を受信し、復調回路２８８に対して出力する。
【００３８】
復調回路２８８は、受信回路２８６から入力される反射信号の変化から、ＩＣチップ３が送信したデータを復調し、送受信制御回路２８２に対して出力する。
【００３９】
［印刷プログラム７］
図７は、制御装置２（図３、図４）により実行され、本発明にかかる後処理方法を実現する印刷プログラム７の構成を示す図である。
図７に示すように、印刷プログラム７は、画像読取部７００、ＵＩ部７１０、印刷部７２０、ＩＣチップ付着部７３０およびデータ書込み部７４０から構成される。
印刷プログラム７は、例えば記録媒体２４０（図３）を介して制御装置２に供給され、メモリ２０４にロードされて実行される。
【００４０】
印刷プログラム７において、画像読取部７００は、スキャナ１７（図４）など印刷ユニット１０の構成部分を制御して、原稿に表示された原稿画像を読み取る。
【００４１】
ＵＩ部７１０は、ＵＩ装置２６（図３，図４）に対するユーザの操作を受け入れ、ＩＣチップ３の装着を指示するデータをＩＣチップ付着部７３０に対して出力する。
また、ＵＩ部７１０は、ＵＩ装置２６に対するユーザの操作を受け入れて、ＩＣチップ３に書き込むデータをデータ書込み部７４０に対して出力する。
【００４２】
印刷部７２０は、画像読取部７００から原稿画像のデータが入力されると、プリントエンジン１４（図４）など印刷ユニット１０の各構成を制御して、印刷用紙４０に原稿画像を印刷する。
【００４３】
ＩＣチップ付着部７３０は、ＵＩ部７１０からＩＣチップ３を装着するよう指示されると、ステープラ５４（図４）を制御して、原稿画像が印刷された印刷用紙４０に、ステープル針４２ａ（図１）を打つ。
【００４４】
データ書込み部７４０は、ＵＩ部７１０からデータが入力されると、ＩＣチップＩＦ２８（図３、図４）を制御して、印刷用紙４０に付されたＩＣチップ３に、入力されたデータを書き込む。
【００４５】
［全体動作］
以下、コピー装置１の全体的な動作を説明する。
図８は、コピー装置１（印刷プログラム７）の動作（Ｓ１０）を示すフローチャートである。
図８に示すように、ステップ１００（Ｓ１００）において、ユーザは、ＵＩ装置２６（図３，図４）に対して、印刷開始などを指示する操作を行う。
ＵＩ部７１０（図７）は、この操作を受け入れて、印刷開始を指示するデータを画像読取部７００などに対して出力する。
【００４６】
ステップ１０２（Ｓ１０２）において、ＵＩ装置２６（図３，図４）に対して、印刷開始の操作が行われると、画像読取部７００は、スキャナ１７（図４）などを制御して、原稿に表示された原稿画像を読み取る。
【００４７】
ステップ１０４（Ｓ１０４）において、印刷部７２０（図７）は、プリントエンジン１４（図４）を制御して、読み取られた原稿画像のトナー画像をドラム上に形成し、形成されたトナー画像を印刷用紙４０に転写する。
【００４８】
ステップ１０６（Ｓ１０６）において、印刷部７２０（図７）は、定着ローラ１５（図４）および加圧ローラ１６（図４）を制御して、印刷用紙４０上のトナーを加熱して、印刷用紙４０に転写されたトナー画像を定着させる。
トナー画像が定着した印刷用紙４０は、後処理ユニット５０（図４）に搬送され、コンパイルトレイ５２（図４）に蓄積される。
【００４９】
ステップ１０８（Ｓ１０８）において、印刷プログラム７（図７）は、指定された枚数の印刷が完了したか否かを判断する。
印刷プログラム７は、指定された枚数の印刷が完了したと判断した場合には、Ｓ１１０の処理に進み、これ以外の場合には、Ｓ１０２からＳ１０６までの処理を繰り返す。
【００５０】
例えば、ユーザが、単にＵＩ装置２６（図３，図４）に対して印刷を開始する操作を行った場合には、コピー装置１は単純なコピー処理を行う。
これに対し、ユーザが、ＵＩ装置２６に対して、ＩＣチップ３の付着を指示する操作を行った後に、印刷を開始する操作を行った場合には、コピー装置１は、本発明にかかる後処理を実行する。
ステップ１１０（Ｓ１１０）において、ＵＩ部７１０（図７）は、ユーザが単純なコピーのための操作を行ったか、ＩＣチップ３の付着を指示する操作を行ったかを判断する。
印刷プログラム７は、ユーザが前者の操作を行った場合には、Ｓ１１６の処理に進み、これ以外の場合には、Ｓ１１２の処理に進む。
【００５１】
ステップ１１２（Ｓ１１２）において、ＩＣチップ付着部７３０（図７）は、ステープラ５４（図４）などを制御して、コンパイルトレイ５４に蓄積された印刷用紙４０に、ＩＣチップ３が保持されたステープル針４２ａを打ち込む。
なお、コンパイルトレイ５４に蓄積された印刷用紙４０が１枚であっても、ＩＣチップ付着部７３０は、この印刷用紙４０にステープル針４２ａを打ち込む。
【００５２】
ステップ１１４（Ｓ１１４）において、データ書込み部７４０（図７）は、ＩＣチップＩＦ２８（図４）を制御して、印刷用紙４０に付されたＩＣチップ３にデータを書き込む。
データの書き込みが完了すると、後処理ユニット５０（図４）は、印刷用紙４０を搬出して、処理を終了する。
【００５３】
ステップ１１６（Ｓ１１６）において、後処理ユニット５０は、例えば、パンチまたはステープルなどの通常の後処理を印刷用紙４０に施して、処理を終了する。
なお、ＩＣチップ３の付与が指示されなかったときは、後処理ユニット５０は、コンパイルトレイ５４に蓄積された印刷用紙４０が１枚の場合にステープル処理を禁止する。
【００５４】
このように、コピー装置１は、印刷処理における高温・高電圧下での処理が終わった後に、ＩＣチップ３が保持されたステープル針４２ａを印刷用紙４０に打ち込む。
【００５５】
［ステープル針の変形例］
なお、ステープル針は、ＩＣチップ３を保持し、ステープラ５４（図１（Ｂ））に押圧されないように保護することができれば、他の形状であってもよい。
以下、ステープル針４２ａの変形例を説明する。
【００５６】
まず、第２のステープル針４２ｂについて説明する。
図９（Ａ）は、第２のステープル針４２ｂを斜方から見た場合の概観を示し、図９（Ｂ）は、（Ａ）に示したステープル針４２ｂの二点鎖線での断面を説明する図である。
図９（Ａ）に示すように、ステープル針４２ｂは、板状の保持部４２２と、針状の脚部４２６とから構成される。
保持部４２２は、ステープラ５４に押圧される面が隣接する面よりも大きい板状であり、ステープラ５４に押圧される方向に開口する開口部を有する。
ＩＣチップ３は、保持部４２２の開口部に収容された状態で保持される。
このようにＩＣチップ３は、ステープル針４２ａの開口部に収容されているので、ステープラ５４（図１（Ｂ））がステープル針４２ａを打ち込む時も、ＩＣチップ３は、ステープル針４２ａの筐体に保護されて押圧されない。
なお、第２のステープル針４２ｂの脚部４２６は、第１のステープル針４２ａのものと実質的に同一である。
【００５７】
図９（Ｂ）に示すように、保持部４２２は、ＩＣチップ３以上の厚みを有し、ＩＣチップ３がステープラ５４に押圧されるのを防ぐ。
また、保持部４２２に設けられた開口部は、印刷用紙４０と係合する面に近いほど大きく開口し、ＩＣチップ３は、保持部４２２の開口部の形状とほぼ同一の形状を有する。
そのため、開口部に保持されたＩＣチップ３は、印刷用紙４０と係合する面の裏面の方向に、開口部を通り抜けることはなく、ステープル針４２ｂが印刷用紙４０に打ち込まれると、ＩＣチップ３は、印刷用紙４０と保持部４２２とに保持されてはずれなくなる。
【００５８】
このようにステープル針４２ａに開口部を設け、この開口部にＩＣチップ３を収容することは、ＩＣチップ３が圧力に弱い場合に好適である。
【００５９】
次に、第３のステープル針４２ｃについて説明する。
図１０（Ａ）は、第３のステープル針４２ｃを斜方から見た場合の概観を示し、図１０（Ｂ）は、（Ａ）に示したステープル針４２ｃの二点鎖線での断面を説明する図である。
図１０（Ａ）に示すように、ステープル針４２ｃは、板状の保持部４２２と、板状の脚部４２７とから構成される。
脚部４２７は、保持部４２２の両端に、保持部４２２に対してほぼ直角をなすように設けられている。
なお、第３のステープル針４２ｃの保持部４２２は、開口部の形状を除いて、第２のステープル針４２ｂのものと実質的に同一である。
【００６０】
図１０（Ｂ）に示すように、ステープル針４２ｃの開口部は、印刷用紙４０に係合する面からその裏面までほぼ同じ大きさの開口である。
脚部４２７は、印刷用紙４０を貫通できるように薄い板状である。
また、脚部４２７は、針受け台５８にぶつかって屈曲する程度に薄い。
このステープル針４２ｃは、印刷用紙４０に打ち込まれた後でもＩＣチップ３を着脱することができ、ＩＣチップ３を度々交換したい場合などに好適である。
【００６１】
次に、第４のステープル針４２ｄについて説明する。
図１１（Ａ）は、第４のステープル針４２ｄを斜方から見た場合の概観を示し、図１１（Ｂ）は、（Ａ）に示したステープル針４２ｄの二点鎖線での断面を説明する図である。
図１１（Ａ）に示すように、ステープル針４２ｄは、板状の保持部４２２と、折れ曲がった針状の脚部４２８とから構成される。
保持部４２２は、薄い六角柱の形状を有し、この六角柱の側面に脚部４２８が接続している。
脚部４２８は、ほぼ直角に折れ曲がった針状であり、２つの脚部４２８それぞれが、保持部４２２の側面から互いに反対方向に伸びて、同じ方向に折れ曲がっている。
【００６２】
図１１（Ｂ）に示すように、ステープル針４２ｄは、印刷用紙４０に係合する面から裏面に行くに従って開口が大きくなる開口部を有する。
このステープル針４２ｄは、このような開口部にＩＣチップ３を保持するので、印刷用紙４０に打ち込まれた後であっても、ＩＣチップ３の着脱をより容易に行うことができる。
また、このステープル針４２ｄは、保持部４２２を小さくしてあるので、印刷用紙４０に打ち込まれた場合に目立ちにくい。
【００６３】
次に、第５のステープル針４２ｅについて説明する。
図１２（Ａ）は、第５のステープル針４２ｅを斜方から見た場合の概観を示し、図１２（Ｂ）は、（Ａ）に示したステープル針４２ｅを矢印Ｘ方向から見た図である。
図１２（Ａ）に示すように、ステープル針４２ｅは、板状の保持部４２２と、板状の脚部４２７とから構成される。
保持部４２２は、押圧面（図中の上面）に凹部を形成するように折れ曲がっており、この凹部でＩＣチップ３を保持する。
脚部４２７は、図１０に示されたものと実質的に同一である。
【００６４】
図１２（Ｂ）に示すように、本例のステープル針４２ｅは、保持部４２２の凹部上面にＩＣチップ３を接着などにより固定している。
したがって、このステープル針４２ｅは、印刷用紙４０にステープルされた後でもＩＣチップ３を付着することができる。
また、このステープル針４２ｅは、一本の板状部材を折り曲げて形成することができるので、生産性が高い。
【００６５】
次に、第６のステープル針４２ｆについて説明する。
図１３（Ａ）は、第６のステープル針４２ｆを斜方から見た場合の概観を示し、図１３（Ｂ）は、（Ａ）に示したステープル針４２ｆを矢印Ｘ方向から見た図である。
図１３（Ａ）に示すように、ステープル針４２ｆは、板状の保持部４２２と、板状の脚部４２７とから構成される。
保持部４２２および脚部４２７は、平板状の部材であり、互いに略直角である。
【００６６】
図１３（Ｂ）に示すように、本例のステープル針４２ｆは、保持部４２２の押圧面の裏面にＩＣチップ３を接着などにより保持している。本例のＩＣチップ３は、保持部４２２裏面（図中下方）の端部近傍（脚部４２７の一方の近傍）に保持されている。
したがって、ＩＣチップ３がステープル針４２ｆに付着され、印刷用紙４０にステープルされると見えなくなる。
また、このステープル針４２ｆは、一本の板状部材を折り曲げて成形することができるので、さらに生産性が高い。
【００６７】
次に、第７のステープル針４２ｇについて説明する。
図１４（Ａ）は、第７のステープル針４２ｇを斜方から見た場合の概観を示し、図１４（Ｂ）は、（Ａ）に示したステープル針４２ｇを矢印Ｘ方向から見た図である。
図１４（Ａ）に示すように、ステープル針４２ｇは、押圧面が階段状に折れ曲がった保持部４２３と、板状の脚部４２７とから構成される。
保持部４２３は、押圧面（図中の上面）の上方に、階段状に折れ曲がった形状を有する。この階段状の折れ曲がり形状は、保持部４２３の短軸方向に折れ曲がっているので、長軸方向に撓みにくい。
脚部４２７は、図１０に示されたものと実質的に同一である。
【００６８】
図１４（Ｂ）に示すように、本例のステープル針４２ｇは、保持部４２３の長軸方向に撓みにくい構造になっているため、保持部４２３の撓みによるＩＣチップ３の破損を防止することができる。
【００６９】
なお、第１のステープル針４２ａ（図１）は、ステープルする度に長いワイヤー状の材料を切断して成形されてもよい。同様に、第３のステープル針４２ｃ（図１０）、第５のステープル針４２ｅおよび第６のステープル針４２ｆは、ステープルする度に長い板状の材料を切断して成形されてもよい。
このような場合に、コピー装置１は、所定の間隔でＩＣチップ３が予め埋め込まれたワイヤー状材料または板状材料を用いて、ステープル針４２を成形してもよい。また、コピー装置１は、ステープル針４２を印刷用紙４０にステープルした後で、ステープル針４２にＩＣチップ３を付着させてもよい。
【００７０】
［粘着テープ］
以上、ＩＣチップ３がステープル針に保持される形態を説明したが、ＩＣチップ３は、粘着テープに保持され、この粘着テープを印刷用紙４０に貼り付けてもよい。
【００７１】
図１５は、ＩＣチップ３を保持する粘着テープ５３を例示する図である。
図１５に例示するように、粘着テープ５３（粘着部材）は、粘着性を有する粘着面と、ほぼ粘着性がない非粘着面とを有し、粘着面上にＩＣチップ３を保持する。
粘着テープ５３は、破線で示す位置で切り取られて、印刷用紙４０に貼り付けられる。
【００７２】
図１６は、粘着テープ５３（図１５）を利用してＩＣチップ３を装着する第２のコピー装置１０２を例示する図である。
図１６に示すように、コピー装置１０２は、第２の後処理ユニット５０２を有する。
なお、コピー装置１０２の各構成部分の内、図４に示したコピー装置１のものと実質的に同一な部分には同一の符号が付してある。
【００７３】
後処理ユニット５０２は、ＩＣチップ３が保持された粘着テープ５３、粘着テープ５３を印刷用紙４０に対して貼り付けるパンチ５５、および、変心軸を回転させてパンチ５５を上下動させるカム５６などから構成される。
パンチ５５は、バネなどの力により常時下方に押されている。
カム５６が回転してパンチ５５を押し上げると、パンチ５５は、上方に渡されている粘着テープ５３を押し上げ、ＩＣチップ３が保持された部分の粘着テープ５３を打ち抜いて、印刷用紙４０の画像形成された面の裏面に貼り付ける。
【００７４】
図１７は、粘着テープ５３を用いたコピー装置１０２（印刷プログラム７）の動作（Ｓ１２）を示すフローチャートである。
なお、図１７に示した処理の内、図８に示した処理と実質的に同一なものには、同一の符号が付してある。
コピー装置１０２の動作においては、Ｓ１１０の処理においてＩＣチップ３の付与が指示されたと判断された場合に、ステップ１１６（Ｓ１１６）の処理において、ＩＣチップ付着部７３０（図７）が、パンチ５５（図１６）などを制御して、ＩＣチップ３が保持された粘着テープ５３を印刷用紙４０に貼り付ける。
【００７５】
このように、コピー装置１０２は、粘着テープを用いて、ＩＣチップ３を印刷用紙４０に付すことができる。
【００７６】
［ネットワークプリンタ］
以上説明したコピー装置１は、コピー装置１のＵＩ装置２６（図３，図４）を介してユーザの操作を受け入れて、ＩＣチップ３の付与およびデータの書込みを行うが、ネットワークを介して接続するコンピュータ端末から指示を受け入れ、ＩＣチップ３の付与およびデータの書込みを行ってもよい。
【００７７】
図１８は、複数のコンピュータ端末に共有されるコピー装置１のネットワーク構成を例示する図である。
コピー装置１は、ＬＡＮなどのネットワーク２２０を介して、コンピュータ端末８２、コンピュータ端末８４、コンピュータ端末８６およびサーバ端末９０と接続する。
コピー装置１は、コピー機能およびプリンタ機能を有する複合機であり、コンピュータ端末８２などから受信した画像データを印刷する。
また、コピー装置１は、コンピュータ端末８２などに対する入力操作に応じて、後処理ユニット５０（図４）を制御して、ＩＣチップ３の装着を行う。
さらに、コピー装置１は、コンピュータ端末８２などで入力されたデータを、ネットワークを介して受信し、受信したデータをＩＣチップ３に書き込む。
【００７８】
このようにコピー装置１が、コンピュータ端末８２などからの指示に応じてＩＣチップ３の付与およびデータの書込みを行うことにより、ユーザは、印刷データの送信、印刷指示、ＩＣチップ３の付与、ＩＣチップ３に書き込むデータの送信、および、ＩＣチップ３へのデータ書込み指示を、コンピュータ端末に対する一度の操作で行うことができる。
【００７９】
また、コピー装置１は、ＩＣチップ３から読み出したデータ（データＩＤなど）に応じて、サーバ端末９０から画像データを取得し、印刷してもよい。
具体的には、コンピュータ端末８２（図１８）が、画像データをコピー装置１に送信すると共に、ＩＣチップ３の付与を指示する。
コピー装置１は、コンピュータ端末８２から受信した画像データを印刷用紙４０に印刷し、この印刷用紙４０にＩＣチップ３を付す。さらに、コピー装置１は、受信した画像データをサーバ端末９０に記録し、このＩＣチップ３に画像データの記録位置情報（例えば、画像データを識別するデータＩＤ）を書き込む。
【００８０】
以後、この印刷用紙４０をコピー装置１で複写する場合に、コピー装置１は、印刷用紙４０に付されたＩＣチップ３からデータＩＤを読み出し、読み出されたデータＩＤに対応する画像データをサーバ端末９０から取得し印刷する。
このように、サーバ端末９０に画像データを記録させることにより、複写の繰返しによる画質劣化を防止すると共に、ＩＣチップ３内に書き込むデータサイズを抑えることができる。
なお、画像データの記録位置情報として、データＩＤの他に、サーバ端末９０の識別情報（ＵＲＬ，ＩＰアドレスなど）がＩＣチップ３に書き込まれてもよい。
【００８１】
【発明の効果】
以上説明したように、本発明にかかる後処理装置およびその方法によれば、画像が形成される画像形成部材に半導体チップを装着することができる。
【図面の簡単な説明】
【図１】（Ａ）は、本発明の後処理方法で用いられる第１のステープル針を例示し、（Ｂ）は、ステープルされた後のステープル針を例示する図である。
【図２】ステープル針（図１）が付された印刷用紙を例示する図である。
【図３】本発明にかかる後処理方法が適応されるコピー装置のハードウェア構成を、その制御装置を中心に例示する図である。
【図４】図３に示したコピー装置のハードウェア構成を、その印刷ユニットおよび後処理ユニットを中心に例示する図である。
【図５】図１（Ａ）に示したＩＣチップの構成を示す図である。
【図６】図３、図４に示したＩＣチップＩＦの構成を示す図である。
【図７】制御装置（図３、図４）により実行され、本発明にかかる後処理方法を実現する印刷プログラムの構成を示す図である。
【図８】コピー装置（印刷プログラム）の動作（Ｓ１０）を示すフローチャートである。
【図９】（Ａ）は、第２のステープル針を斜方から見た場合の概観を示し、（Ｂ）は、（Ａ）に示したステープル針の二点鎖線での断面を説明する図である。
【図１０】（Ａ）は、第３のステープル針を斜方から見た場合の概観を示し、（Ｂ）は、（Ａ）に示したステープル針の二点鎖線での断面を説明する図である。
【図１１】（Ａ）は、第４のステープル針を斜方から見た場合の概観を示し、（Ｂ）は、（Ａ）に示したステープル針の二点鎖線での断面を説明する図である。
【図１２】（Ａ）は、第５のステープル針４２ｅを斜方から見た場合の概観を示し、（Ｂ）は、（Ａ）に示したステープル針４２ｅを矢印Ｘ方向から見た図である。
【図１３】（Ａ）は、第６のステープル針４２ｆを斜方から見た場合の概観を示し、（Ｂ）は、（Ａ）に示したステープル針４２ｆを矢印Ｘ方向から見た図である。
【図１４】（Ａ）は、第７のステープル針４２ｇを斜方から見た場合の概観を示し、（Ｂ）は、（Ａ）に示したステープル針４２ｇを矢印Ｘ方向から見た図である。
【図１５】ＩＣチップを保持する粘着テープを例示する図である。
【図１６】粘着テープ（図１５）を利用してＩＣチップ３を装着する第２のコピー装置を例示する図である。
【図１７】粘着テープを用いたコピー装置（印刷プログラム）の動作（Ｓ１２）を示すフローチャートである。
【図１８】複数のコンピュータ端末に共有されるコピー装置のネットワーク構成を例示する図である。
【符号の説明】
１，１０２・・・コピー装置
１０・・・印刷ユニット
１２・・・用紙トレイ部
１４・・・プリントエンジン
１５・・・定着ローラ
１６・・・加圧ローラ
１７・・・スキャナ
１８・・・原稿送り装置
２・・・制御装置
２０・・・制御装置本体
２０２・・・ＣＰＵ
２０４・・・メモリ
２２・・・通信装置
２２０・・・ネットワーク
２４・・・記録装置
２４０・・・記録媒体
２６・・・ＵＩ装置
２８・・・ＩＣチップＩＦ
２８０・・・アンテナ
７・・・印刷プログラム
７００・・・画像読取部
７１０・・・ＵＩ部
７２０・・・印刷部
７３０・・・ＩＣチップ付着部
７４０・・・データ書込み部
５０，５０２・・・後処理ユニット
５２・・・コンパイルトレイ
５３・・・粘着テープ
５４・・・ステープラ
５５・・・パンチ
５６・・・カム
５８・・・針受け台
４０・・・印刷用紙
３・・・ＩＣチップ
３２０・・・クロック再生回路
３２２・・・メモリ回路
３２４・・・データ送受信回路
３２６・・・電源回路
４２・・・ステープル針
４２２・・・保持部
４２４・・・突出部
４２６，４２７，４２８・・・脚部
【図１】
2004142419.tif 000003
【図２】
2004142419.tif 000004
【図３】
2004142419.tif 000005
【図４】
2004142419.tif 000006
【図５】
2004142419.tif 000007
【図６】
2004142419.tif 000008
【図７】
2004142419.tif 000009
【図８】
2004142419.tif 000010
【図９】
2004142419.tif 000011
【図１０】
2004142419.tif 000012
【図１１】
2004142419.tif 000013
【図１２】
2004142419.tif 000014
【図１３】
2004142419.tif 000015
【図１４】
2004142419.tif 000016
【図１５】
2004142419.tif 000017
【図１６】
2004142419.tif 000018
【図１７】
2004142419.tif 000019
【図１８】
2004142419.tif 000020